(57)【特許請求の範囲】
【請求項１】
円盤状で、外周縁に盤面に対して垂直に立ち上がった垂直縁部を有し、該垂直縁部から中心側に円環状の溝部が形成された軸継手を、棒状の工具本体の一端部に、該工具本体の長手方向に対して垂直に延びる第１の係合部と第２の係合部とを備えたターニング工具で回転させる、軸継手の回転方法であって、
前記第１の係合部を前記溝部内に位置させ、前記第２の係合部を前記垂直縁部の外側に位置させて、前記第１の係合部と前記第２の係合部とで前記垂直縁部を挟持した状態で、前記工具本体を回動させることで前記軸継手を回転させる、ことを特徴とする軸継手の回転方法。
【発明の詳細な説明】
【技術分野】
【０００１】
この発明は、軸継手を手動で回転させるための軸継手の回転方法に関する。
【背景技術】
【０００２】
例えば火力発電においては、蒸気タービンを流れる蒸気と蒸気を復水する復水器との圧力差が大きいほど、蒸気は蒸気タービンを効率よく回転させることができ、発電効率も上昇する。このため、復水器内を真空（負圧）にするための真空ポンプが設置されている（例えば、特許文献１参照。）。この真空ポンプは、入力軸が電動機（モータ）の出力軸に接続され、電動機の回転に伴って入力軸が回転し、ブレード（回転翼）の回転などによって復水器内を真空にするものである。このような真空ポンプは、復水器内を真空にするものであるため、比較的大型（大容量）であり、これを駆動する電動機も大型のものとなっている。
【０００３】
また、真空ポンプの入力軸と電動機の出力軸との接続部である軸継手などを保護するために、図６、７に示すようなカップリングカバー１００が配設されている。このカップリングカバー１００は、断面が逆Ｕ字状で、軸１０１、１０２の長手方向に沿って延びている。そして、真空ポンプＰの入力軸１０１と電動機Ｍの出力軸１０２および、軸継手１０３を上方から覆うように配設され、下端部が設置面にボルト１０４で固定（設置）されている。このようなカップリングカバー１００は、大型の真空ポンプＰの軸継手１０３などを保護するため、大型のものとなり、また重量物となる。
【先行技術文献】
【特許文献】
【０００４】
【特許文献１】特開平０６−２８１３６７号公報
【発明の概要】
【発明が解決しようとする課題】
【０００５】
ところで、設備の異常をより早期に発見するために設備を巡視する設備パトロールなどでは、設備の異常を目視や聴音によって発見、確認する場合がある。しかしながら、上記のようなカップリングカバー１００が配設された真空ポンプＰでは、軸継手１０３などがカップリングカバー１００で覆われているため、異常の発見が目視では困難であったり、聴音では容易ではなかったり、あるいは手間と時間とを要していた。すなわち、カップリングカバー１００と真空ポンプＰとの隙間などから軸継手１０３などを覗き見るだけでは、異常を適正に発見することが困難であった。また、ボルト１０４を外して、大型で重量物であるカップリングカバー１００を取り外して軸継手１０３などを見るには、手間と時間とを要していた。
【０００６】
一方、保守作業などのために設備が長期間停止している場合には、軸１０１、１０２や軸継手１０３などに錆などの異常が発生している場合がある。このため、軸継手１０３などを手で回転させて異常の有無を確認する必要がある。そして、このような確認の際には、ボルト１０４を外して、大型で重量物であるカップリングカバー１００を取り外し、軸継手１０３などを手で回転させなければならなかった。
【０００７】
このように従来のカップリングカバーでは、軸継手の点検などに多くの時間と労力とを要していた。
【０００８】
そこでこの発明は、軸継手の点検などを容易かつ適正に行うことが可能な軸継手の回転方法を提供することを目的とする。
【課題を解決するための手段】
【０００９】
上記目的を達成するために請求項１に記載の発明は、円盤状で、外周縁に盤面に対して垂直に立ち上がった垂直縁部を有し、該垂直縁部から中心側に円環状の溝部が形成された軸継手を、棒状の工具本体の一端部に、該工具本体の長手方向に対して垂直に延びる第１の係合部と第２の係合部とを備えたターニング工具で回転させる、軸継手の回転方法であって、前記第１の係合部を前記溝部内に位置させ、前記第２の係合部を前記垂直縁部の外側に位置させて、前記第１の係合部と前記第２の係合部とで前記垂直縁部を挟持した状態で、前記工具本体を回動させることで前記軸継手を回転させる、ことを特徴とする。
【発明の効果】
【００１０】
請求項１に記載の発明によれば、ターニング工具の第１の係合部と第２の係合部とで軸継手の垂直縁部を挟持した状態で、例えば工具本体の他端部を回動させることで、てこの原理を利用して軸継手を回転させることができる。このため、直接手で軸継手を回転させる場合に比べて、容易に軸継手を回転させることができる。また、工具本体の長さを長くすることで、軸継手が遠くに位置する場合でも、容易に軸継手を回転させることができる。
【図面の簡単な説明】
【００１１】
【図１】この発明の実施の形態に係るカップリングカバーが配設された状態を示す正面図である。
【図２】図１のＡ−Ａ断面図である。
【図３】この発明の実施の形態に係るターニング工具を示す正面図である。
【図４】図３のターニング工具の係合部を軸継手に係合させた状態を示す斜視図である。
【図５】図３のターニング工具で軸継手を回転させている状態を示す正面図である。
【図６】従来のカップリングカバーが配設された状態を示す正面図である。
【図７】図６のＢ−Ｂ断面図である。
【発明を実施するための形態】
【００１２】
以下、この発明を図示の実施の形態に基づいて説明する。
【００１３】
図１は、この発明の実施の形態に係るカップリングカバー１が配設された状態（後述する点検窓１１を開けた状態）を示す正面図であり、図２は、図１のＡ−Ａ断面図である。また、図３は、この発明の実施の形態に係るターニング工具２を示す正面図である。
【００１４】
カップリングカバー１は、真空ポンプＰの入力軸１０１と電動機Ｍの出力軸１０２および、入力軸１０１と出力軸１０２との接続部である軸継手１０３を上方から覆うようにして保護するカバーである。このカップリングカバー１は鋼板製で、断面が逆Ｕ字状であり、軸１０１、１０２の長手方向に沿って延びている。また、両下端部には水平方向に折り曲げられた設置部１ａが形成され、この設置部１ａには複数のボルト挿入孔（図示せず）が形成されている。そして、設置面（地面）に打たれたアンカーボルト１０４がボルト挿入孔に挿入され、締め付けられることで、カップリングカバー１が設置、固定されている。
【００１５】
ここで、真空ポンプＰは、火力発電所の復水器内を真空（負圧）にするためのポンプであり、電動機Ｍは真空ポンプＰを駆動するためのモータである。この真空ポンプＰは、復水器内を真空にするものであるため大型であり、これを駆動する電動機Ｍも大型のものとなっている。さらに、カップリングカバー１も、大型の真空ポンプＰの軸継手１０３などをカバーするため、大型のものとなり、また重量物となっている。
【００１６】
このようなカップリングカバー１の上部（逆Ｕ字の円弧側）には、開閉可能な点検窓１１が設けられている。すなわち、カップリングカバー１の上部に、カップリングカバー１を正面から見て長方形の窓穴１ｂが形成され、この窓穴１ｂと同形状あるいはやや大きい形状の点検窓１１が、丁番１２を介して開閉可能に配設されている。この点検窓１１つまり窓穴１ｂは、軸継手１０３および入力軸１０１と出力軸１０２とに対向して配設されている。さらに、点検窓１１を開けた状態で、軸継手１０３および入力軸１０１と出力軸１０２とを目視できるとともに、軸継手１０３をターニング工具２などで手動で回転できるように、点検窓１１の大きさと位置とが設定されている。また、点検窓１１を閉じると、窓穴１ｂが密閉されるとともに、カップリングカバー１の外形上に沿うように点検窓１１の外形状が設定されている。
【００１７】
ターニング工具２は、軸継手１０３を手動で回転させるための工具であり、鉄鋼製で工具本体２１と係合部２２とを備えている。すなわち、丸棒状の工具本体２１の一端部に、丸棒状の第１の係合部２２ａと第２の係合部２２ｂとからなる係合部２２が、工具本体２１と一体的に形成されている。第１の係合部２２ａは、工具本体２１の一端から、工具本体２１の長手方向に対して垂直に延びるように形成されている。第２の係合部２２ｂは、工具本体２１の把持部（他端部）２１ａ寄りから、工具本体２１の長手方向に対して垂直でかつ第１の係合部２２ａと同方向（平行）に延びるように形成されている。また、第１の係合部２２ａと第２の係合部２２ｂとの長さおよび配設位置（間隔）は、係合部２２が軸継手１０３に係合するように設定されている。
【００１８】
すなわち、この実施の形態では図４に示すように、軸継手１０３が円盤状で、外周縁に盤面に対して垂直に立ち上がった垂直縁部１０３ａを有し、この垂直縁部１０３ａから中心側に円環状の溝部１０３ｂが形成され、この溝部１０３ｂ内にボルト、ナットが配設されている。そして、第１の係合部２２ａを溝部１０３ｂ内に位置させ、第２の係合部２２ｂを垂直縁部１０３ａの外側に位置させて、第１の係合部２２ａと第２の係合部２２ｂとで垂直縁部１０３ａを挟持（把持）するように工具本体２１の把持部２１ａ側を回動させる。これにより、係合部２２が軸継手１０３に係合（軸継手１０３を把持）し、この状態で工具本体２１を軸１０１、１０２中心に所望の方向に回動させると、軸継手１０３が回転するものである。また、第１の係合部２２ａと第２の係合部２２ｂとには、ゴム製でチューブ状の滑り止め２３、２４がそれぞれ装着され、垂直縁部１０３ａを挟持しやすいようになっている。
【００１９】
次に、このような構成のカップリングカバー１とターニング工具２の作用、およびこれらを使用した軸継手１０３などの点検方法について説明する。
【００２０】
まず、通常時においては、カップリングカバー１の点検窓１１を閉じておくことで、真空ポンプＰの入力軸１０１と電動機Ｍの出力軸１０２と軸継手１０３とが保護される。また、設備パトロール時などでは、点検窓１１を開けて、軸継手１０３や軸１０１、１０２を目視点検する。さらに、設備が長期間停止している場合などには、点検窓１１を開けて窓穴１ｂからターニング工具２の係合部２２側を挿入する。そして、上記のようにして係合部２２を軸継手１０３に係合させて、図５に示すように、ターニング工具２で軸継手１０３を回転させながら、軸１０１、１０２や軸継手１０３に錆などの異常が発生しているか否かを点検する。点検後には、カップリングカバー１の点検窓１１を閉じて、軸継手１０３などを保護するものである。
【００２１】
以上のように、このカップリングカバー１とターニング工具２、およびこれらを使用した点検方法によれば、点検窓１１を開けることで軸継手１０３などを目視できるため、カップリングカバー１全体を取り外したりすることなく、軸継手１０３の点検などを容易、迅速かつ適正に行うことができる。また、点検窓１１の大きさ、位置が、軸継手１０３を手動で回転可能なように設定されているため、点検窓１１を開けて手やターニング工具２を入れることで軸継手１０３を回転させることができる。
【００２２】
さらに、ターニング工具２の係合部２２を軸継手１０３に係合させ、工具本体２１の把持部２１ａ側を回動させることで、てこの原理を利用して軸継手１０３を回転させることができる。このため、直接手で軸継手１０３を回転させる場合に比べて、容易に軸継手１０３を回転させることができる。また、カップリングカバー１の大きさなどに応じて工具本体２１の長さを長くすることで、軸継手１０３が窓穴１ｂから遠くに位置する場合でも、容易に軸継手１０３を回転させることができる。
【００２３】
以上、この発明の実施の形態について詳述してきたが、具体的な構成は上記の実施の形態に限られるものではなく、この発明の要旨を逸脱しない範囲の設計の変更等があっても、この発明に含まれる。例えば、上記の実施の態様では、点検窓１１を軸継手１０３と軸１０１、１０２とに対向して配設しているが、軸継手１０３の形状、大きさや点検内容などに応じて、軸継手１０３のみに対向するように配設してもよく、カップリングカバー１の長手方向のほぼ全長にわたって配設するようにしてもよい。また、ターニング工具２の係合部２２が２本の直線棒状の第１の係合部２２ａと第２の係合部２２ｂとによって構成されているが、このような構成に限らない。つまり、軸継手１０３の形状や大きさに応じた形状、大きさとし、軸継手１０３と係合して、軸継手１０３を挟持、把持できるものであればよい。
【符号の説明】
【００２４】
１          カップリングカバー
１ｂ        窓穴
１１        点検窓
１２        丁番
２          ターニング工具
２１        工具本体
２２        係合部
２２ａ      第１の係合部
２２ｂ      第２の係合部
２３、２４  滑り止め
１０１      入力軸
１０２      出力軸
１０３      軸継手
１０３ａ    垂直縁部
１０３ｂ    溝部
Ｐ          真空ポンプ
Ｍ          電動機
【図１】
0005389125.tif 000002
【図２】
0005389125.tif 000003
【図３】
0005389125.tif 000004
【図４】
0005389125.tif 000005
【図５】
0005389125.tif 000006
【図６】
0005389125.tif 000007
【図７】
0005389125.tif 000008